(57)【要約】【課題】  マトリクスマップの各集計結果表示欄に、着目項目に関する情報の占有状況を同時に表示し得るマトリクスマップ表示装置を提供する。【解決手段】  少なくとも入力手段と表示手段を備え、入力手段で入力された条件に基づいて作成されたマトリクスマップを表示手段に表示し得るマトリクスマップ表示装置であって、マトリクスマップの各集計結果表示欄に、予め入力手段で入力された着目項目に関する情報の占有状況が同時に表示されると共に、着目項目の表示欄をクリックすると着目項目だけの一覧リストが表示されることを特徴とする。【選択図】  図２
2005165858.tif 000002
【特許請求の範囲】
【請求項１】
少なくとも入力手段と表示手段を備え、入力手段で入力された条件に基づいて作成されたマトリクスマップを表示手段に表示し得るマトリクスマップ表示装置であって、
前記マトリクスマップの各集計結果表示欄に、予め入力手段で入力された着目項目に関する情報の占有状況が同時に表示されると共に、着目項目の表示部分をクリックすると着目項目だけの一覧が表示されることを特徴とするマトリクスマップ表示装置。
【請求項２】
前記入力手段は、前記着目項目が入力される着目項目入力欄を有し、該着目項目入力欄に関する着目項目の集計が前記対象特許情報の集計と同時に行われて前記表示手段に占有状況を表示させることを特徴とする請求項１に記載のマトリクスマップ表示装置。
【発明の詳細な説明】
【技術分野】
【０００１】
本発明は、例えば特許情報群の中から検索式に基づいて作成された所定のマトリクスマップを画面上に表示するマトリクスマップ表示装置に関する。
【背景技術】
【０００２】
一般的に、特許庁から発行されるＣＤ−ＲＯＭ特許公報等の特許情報を分析する場合、特許情報群の中から、所定の検索式に基づいて対象特許情報を抽出すると共に、この抽出した対象特許情報に基づきマトリクスマップを作成して画面上に表示するマトリクスマップ表示装置が使用されている。
【０００３】
従来、このマトリクスマップ表示装置は、検索式に基づいて得られた集計結果が、マトリクスとして表示されるようになっており、例えば図４に示すマトリクスマップ１０１の場合は、縦軸にＩＰＣ分類を横軸にキーワードを指定し、各マス目１０１ａ内に集計した件数を円１０２の大きさ（面積）で表示するようにしたものである。
【特許文献１】特開平８−２２１４３５号公報
【特許文献２】特開２００２−１７５３１４号公報
【発明の開示】
【発明が解決しようとする課題】
【０００４】
しかしながら、このようなマトリクスマップ表示装置においては、マトリクスマップ１０１の各マス目１０１ａに表示される円１０２が、単に集合の集計結果である件数のみを表示するものであるため、マップ１０１を使用する分析作業者が、集計結果の中の各特許情報の一覧リストや抄録リストを見る場合、マップ１０１とは別のリストを表示させてチェック（分析）しているのが一般的である。
【０００５】
この方法は、技術的な内容を分析する場合には好適であるが、単純にその集合に含まれる注目（着目）している項目、例えばその集合に含まれる自社の特許情報の割合等だけを知りたい場合であっても、一々リストを表示させて計数して確かめる必要があり、分析作業が非常に面倒となる。特に、縦横の項目が１０個以上のマトリクスマップ１０１等の場合に、マス目１０１ａが１００個となって、各マス目１０１ａの全てについて計数確認チェックする作業が必要となり、その作業が極めて面倒でその改善が望まれている。
【０００６】
本発明は、このような事情に鑑みてなされたもので、その目的は、マトリクスマップの各集計結果表示欄に、着目項目に関する情報の占有状況例えばどのくらいの割合で含むかを同時に表示し得るマトリクスマップ表示装置を提供することにある。
【課題を解決するための手段】
【０００７】
かかる目的を達成すべく、本発明のうち請求項１に記載の発明は、少なくとも入力手段と表示手段を備え、入力手段で入力された条件に基づいて作成されたマトリクスマップを表示手段に表示し得るマトリクスマップ表示装置であって、前記マトリクスマップの各集計結果表示欄に、予め入力手段で入力された着目項目に関する情報の占有状況が同時に表示されると共に、着目項目の表示部分をクリックすると着目項目だけの一覧が表示されることを特徴とする。
【０００８】
また、請求項２に記載の発明は、前記入力手段が、前記着目項目が入力される着目項目入力欄を有し、該着目項目入力欄に関する着目項目の集計が前記対象特許情報の集計と同時に行われて前記表示手段にその占有状況を表示させることを特徴とする。
【発明の効果】
【０００９】
請求項１に記載の発明によれば、表示手段に表示されるマトリクスマップの各集計結果表示欄に、予め入力手段で入力された着目項目に関する情報の占有状況が同時に表示されるため、マトリクスマップの表示の際に、例えば自社件数等の着目項目を各集計結果表示欄に同時に表示させたり、または着目項目の表示部分をクリックするだけで着目項目だけの一覧を表示させることができ、集計結果表示欄の内容をリスト等で一々確認しなくても自社出願件数の割合等を一目で的確に把握できて、特許情報の分析作業の能率向上と分析結果の信頼性向上等を図ることができる。
【００１０】
また、請求項２に記載に発明によれば、請求項１に記載の発明の効果に加え、入力手段の着目項目入力欄で入力された着目項目の集計が対象特許情報の集計と同時に行われるため、マトリクスマップの表示と同時に着目項目の集計結果を自動的に表示できて、表示のスピードアップや分析作業の効率向上等を図ることができる。
【発明を実施するための最良の形態】
【００１１】
以下、本発明の実施の形態を図面に基づいて詳細に説明する。
図１〜図３は、本発明に係わるマトリクスマップ表示装置を例えばパソコンを使用して構築した場合の一実施形態を示し、図１がそのブロック図、図２がその表示状態の説明図、図３が入力装置の説明図ある。
【００１２】
図１において、マトリクスマップ表示装置１は、ＣＰＵ３、ＲＡＭ４、ＲＯＭ５及びＩ／Ｏ６等がバスライン７を介して接続された制御装置２を有し、この制御装置２のＩ／Ｏ６の入力側には、入力手段としてのキーボード８及びマウス９と、ＭＯドライブ等を含むＣＤ−ＲＯＭ等ドライブ１０が接続され、Ｉ／Ｏ６の出力側には、表示手段としてのＣＲＴ（液晶ディスプレイを含む）からなる表示器１１と、プリンタ１２等が接続されている。
【００１３】
そして、このマトリクスマップ表示装置１は、ＣＤ−ＲＯＭ等ドライブ１０で予め読み込まれて制御装置２のＲＯＭ５に記憶されているプログラムに基づいて、ＣＤ−ＲＯＭ等ドライブ１０にセットされている例えばＣＤ−ＲＯＭ特許公報の特許情報が、キーボード８やマウス９で後述する入力画面１１ｂで入力された検索式等の条件に基づいて検索（抽出）され、この抽出された各種特許情報が制御装置２のＣＰＵ３に読み込まれてデータ集計されて所定のマトリクスマップが作成され、このマトリクスマップが表示器１１の画面１１ａに表示されるようになっている。
【００１４】
図２は、上記マトリクスマップ表示装置１による具体的な表示状態を示しており、以下、これについて説明する。まず、マトリクスマップの表示にあたっては、前記プログラムに基づき表示器１１上に表示される入力画面１１ｂによって各種条件等を入力する。この時の入力画面１１ｂは、例えば図３に示すように、検索式等のマトリクスマップを作成する際に必要な、縦軸や横軸の項目等の基礎項目を入力設定する基礎項目入力欄１５と、マトリクスマップの集計結果表示欄に同時に表示させる着目項目１６ａを入力設定する着目項目入力欄１６が設けられている。なお、着目項目入力欄１６に入力された着目項目１６ａには、例えば一桁の英数字からなるコード１６ｂが自動的もしくは手動で付与されるようになっている。
【００１５】
そして、この表示器１１の入力画面１１ｂの基礎項目入力欄１５や着目項目入力欄１６に、マウス９やキーボード８等を使用して所定の入力をして、例えば表示器１１の入力画面１１ｂに設けた表示欄１７をクリックすると、制御装置２により基礎項目入力欄１５に対応した対象特許情報が抽出されてその件数が集計されると共に、この集計と同時に着目項目入力欄１６に入力された着目項目１６ａのコード１６ｂに関する件数が集計されてその占有割合が算出され、制御装置２の記憶部（図示せず）に一時記憶される。この一時記憶された基礎項目の集計結果と着目項目１６ｂの集計結果（占有割合）に基づいて、制御装置２により指定された図２に示す形態のマトリクスマップが作成され、この作成されたマトリクスマップが表示器１１の画面１１ａ上に表示されることになる。
【００１６】
すなわち、マトリクスマップは、図２に示すように、縦軸として例えばＩＰＣ分類が指定され横軸として例えばキーワード（図ではＫＷと記す）が指定され、集計結果表示欄としての各マス目１３ａに、集計結果の件数に応じた大きさ（面積）の円１８が表示される。この円１８の大きさによって、例えばマス目１３ａ−１のように円１８が大きい場合は当該マス目１３ａ−１の件数が多く、マス１３ａ−２のように円１８が小さい場合は当該マス目１３ａ−２の件数が少ないと目視で把握されることになる。
【００１７】
そして、この集計結果の件数を示す円１８に、着目項目１６ａの占有割合が同時に表示され、この占有割合が円１８内に例えば黒塗りやハッチング等によって他の部分と識別表示される。つまり、図２に拡大して示すマス目１３ａの円１８のうち、ハッチング部分が着目項目１６ａである自社分の出願件数であり、そのハッチング部分により、自社出願が例えば略２５％を占めていると分析作業者に目視で把握されることになる。この把握が、マトリクスマップ１３の一次マップの表示と同時に、その画面１１ａ上の集計結果表示欄である各マス目１３ａに同時に表示されると共に、着目項目１６ａの表示部分をクリックすることで着目項目１６ａだけの一覧リストが表示されることから、分析作業者は別途リスト等を表示させることなくマトリクスマップ１３上で一目で把握できることになる。
【００１８】
なお、マトリクスマップ１３の場合は、各マス目１３ａの余白部分をクリックすることにより、当該部分の一覧リストや要約リスト等が表示されるようになっており、これらのリストを使用することで特許情報のより詳細な分析が可能となる。また、着目項目１６ａの各マップ１３、１４上への表示は、黒塗りやハッチング等による識別以外に、分析作業者が把握し易い各種の色や模様及びこれらの組み合わせ等を使用することもできる。
【００１９】
このように、上記実施形態のマトリクスマップ表示装置１によれば、マトリクスマップ上の件数表示欄であるマス目１３ａに着目項目１６ａの件数が識別されて同時に表示されるため、従来のように件数表示欄をクリックしてそのリスト等を一々表示させる面倒な作業が不要となり、特許情報の分析作業の能率向上を図ることができる。特に、着目項目１６ａとして、自社出願件数等の技術的でない項目を指定することで、該着目項目１６ａの状況を同時に表示されるマトリクスマップ上で容易かつ的確に把握することが可能となる。
【００２０】
また、着目項目１６ａの件数の集計処理がマトリクスマップの件数集計と同時に行われると共に、着目項目１６ａとして一桁のコード１６ｂを使用して処理するため、マトリクスマップ上に着目項目１６ａを素早かつ確実に処理表示できると共に、処理自体のスピードアップが図れて、制御装置２による集計作業の効率化等を図ることができる。
【００２１】
さらに、着目項目１６ａが全体に対する占有割合で識別表示されるため、着目項目１６ａの件数割合を一目で簡単に把握できて、例えば縦軸と横軸の項目数が多くマス目１３ａが多数のマトリクスマップ１３であっても、各マス目１３ａの把握は勿論のことマップ全体の把握も容易に行うことができ、特許情報の分析作業の能率向上とその分析結果の信頼性の向上等を図ることができる。また、表示器１１の画面１１ａ上に基礎項目入力欄１５と着目項目入力欄１６とが同時に表示されるため、各項目の入力操作を容易に行うことができて、操作性に優れたマトリクスマップ表示装置１を得ることが可能となる。  
【００２２】
なお、上記実施形態における着目項目１６ａとしては、自社・他社に限らず、同業の複数社、自社・他社の発明者、自社以外の出願人数、ＩＰＣ分類、キーワード等の適宜の着目項目を使用することができるし、着目項目１６ａのコード１６ｂも一桁に限らず、二桁以上のコードを使用することもできる。また、着目項目の占有割合は、面積比で表しているが、Ｘ／Ｙ（全体件数／着目項目件数）のように表示しても良いし、上記実施形態における、マトリクスマップの表示器１１への表示例や各マトリクスマップの縦軸や横軸の項目、及びマトリクスマップ表示装置１のハード構成等も一例であって、本発明に係わる各発明の要旨を逸脱しない範囲において適宜に変更することができる。
【産業上の利用可能性】
【００２３】
本発明は、特許情報のマトリクスマップに限らず、例えば特許情報以外の技術文献情報等のマトリクスマップにも応用できる。
【図面の簡単な説明】
【００２４】
【図１】本発明に係わるマトリクスマップ表示装置の一例を示すブロック図
【図２】同その表示状態の説明図
【図３】同入力画面の説明図
【図４】従来のマトリクスマップの表示状態の説明図
【符号の説明】
【００２５】
１：マトリクスマップ表示装置
２：制御装置
３：ＣＰＵ
４：ＲＡＭ
５：ＲＯＭ
７：Ｉ／Ｏ
８：キーボード
９：マウス
１０：ＣＤ−ＲＯＭ等ドライブ
１１：表示器
１１ａ：画面
１１ｂ：入力画面
１３：マトリクスマスマップ
１３ａ：マス目
１５：基礎項目入力欄
１６：着目項目入力欄
１６ａ：着目項目
１６ｂ：コード
１７：表示欄
１８：円
【図１】
2005165858.tif 000003
【図２】
2005165858.tif 000004
【図３】
2005165858.tif 000005
【図４】
2005165858.tif 000006